(57)【特許請求の範囲】
【請求項１】
立って作業するために、及び座位で作業しているときの脚の支持台として、並びに、一般に筋力の維持のために用いられることになる多機能湾曲ボードであって、前記多機能湾曲ボードは１つ以上の湾曲した本体（１）を有し、前記本体（１）は少なくとも１つの逆湾曲手段（３）を有し、前記逆湾曲手段（３）は前記本体（１）とは逆方向に湾曲される、多機能湾曲ボードであり、前記本体（１）は、その曲率半径の方向に少なくともユーザの体重を支える剛性があり、且つ前記曲率半径を横断する方向に可撓性があり、これにより、前記多機能湾曲ボードが、前記曲率半径を横断する方向に屈曲することができ、且つその縦軸を中心として回転することを特徴とする、多機能湾曲ボード。
【請求項２】
前記逆湾曲手段（３）が、前記ユーザがその上に立つ面である上面（３ａ）を備えることを特徴とする、請求項１に記載の多機能湾曲ボード。
【請求項３】
前記上面（３ａ）が凸形であることを特徴とする、請求項２に記載の多機能湾曲ボード。
【請求項４】
前記本体（１）の揺れ方向を変えるために前記本体（１）に少なくとも１つの付属品（４）を取り付けることができることを特徴とする、請求項１に記載の多機能湾曲ボード。
【請求項５】
目的とされるマッサージに用いられることになる少なくとも１つの付属品（４）を前記本体（１）に取り付けることができることを特徴とする、請求項１に記載の多機能湾曲ボード。
【請求項６】
前記本体の一方の表面（１ｂ）が外方に湾曲され、前記逆湾曲手段（３）が、前記一方の表面（１ｂ）とは反対の他方の表面（１ａ）に、前記本体（１）の端側部（１ｄ）に隣接して締結され、前記逆湾曲手段（３）が前記他方の表面（１ａ）から外向きに湾曲されることを特徴とする、請求項１に記載の多機能湾曲ボード。
【請求項７】
前記他方の表面（１ａ）が凹形であることを特徴とする、請求項６に記載の多機能湾曲ボード。
【請求項８】
前記本体（１）の断面が、前記本体（１）の幅の少なくとも一部に沿って縦方向に互いに取り付けられた複数のフランジ（７、８）によって形成され、これにより、前記フランジ（７、８）が、互いに対して横（前記縦軸を横断する）方向に動くことができることを特徴とする、請求項１に記載の多機能湾曲ボード。
【請求項９】
前記フランジ（７、８）が、前記フランジ（７、８）の中央部に配置されたウェブ（９）によって互いに接続される（Ｈ形状部）ことを特徴とする、請求項８に記載の多機能湾曲ボード。
【請求項１０】
前記フランジ（７、８）が、前記フランジ（７、８）の縁でまっすぐなウェブ（９）によって互いに接続される（Ｕ形状部）ことを特徴とする、請求項８に記載の多機能湾曲ボード。
【請求項１１】
前記フランジ（７、８）によって形成される断面の形状部が鋸歯形状部であることを特徴とする、請求項８に記載の多機能湾曲ボード。
【請求項１２】
前記フランジ（７、８）によって形成される断面の形状部が、Ｕ形状部、Ｈ形状部、及び鋸歯形状部のうちの少なくとも１つを含むことを特徴とする、請求項８乃至１１のいずれか一項に記載の多機能湾曲ボード。
【発明の詳細な説明】
【技術分野】
【０００１】
本発明は、請求項１のプリアンブルに係る多機能湾曲ボードに関する。
【背景技術】
【０００２】
いくつかの研究は、多くの人々が健康を維持するのに身体的に不活動であり過ぎることを示している。不活動の１つの大きな理由は過度に座っていることである。オフィスで働く人は、１日の多くの時間を自分のオフィスの机の椅子に座っている。働く人は、時々は立ち上がって作業をするべきである。たいがいの新しい机は高さ調節機能を備えている。この機能を立ち上がって作業を行うために使う人は少なく、それは、硬い床の上にじっと立っていることは辛く感じ、脚及び背中にストレスがかかるためである。この問題に対処するために、例えばパッド入りのカーペットが市場に導入されている。それらは立っていることを多少楽にするが、脚は静止して動かず、じっと立っているとすぐに筋肉が痺れてくることになる。
【０００３】
１つの解決策は、例えば、Ａｃｔｉｖｅ  Ｓｔａｎｄ（商標）という製品名の僅かに湾曲したボードである。この製品は、脚のいくらかの運動を可能にし、痺れを低減することができる。この一様に湾曲したボードの欠点は、湾曲面上に立つことで足首及び膝の関節が良くない位置に屈曲することである。湾曲面上に長時間立っていると、特に足首及び膝関節に以前から問題のある人々にストレス問題が生じることがある。ボードを揺らすときに、屈曲が増加し、問題が悪化する。この問題は、従来のすべての方向に揺れ動く不安定な表面高さとなるバランスボードが用いられる場合にさらに際立つ。現在の湾曲剛性ボードの欠点は、ボードの剛性も脚及び脚の上の筋肉に上記の一様な緊張を生じることである。ボードを揺らすことによって緊張の位置を変えることができるが、揺らし中に例えばキーボードを使用することはほぼ不可能であり、したがって、揺らし中は作業が中断され、ゆえに、作業効率が低下することになる。
【発明の概要】
【発明が解決しようとする課題】
【０００４】
本発明の目的は、人々の健康及び快適さを向上させるため及び身体的な不活動性を低減させるため、エクササイズ及び筋力の増加のため、並びにバランスを改善するための手段として作用することである。本発明は、例えば、オフィス、家、及びフィジカルエクササイズグループ、並びにケア及びリハビリテーションユニットで用いるのに適している。本発明の種々の実施形態の目的は、作業中並びに作業の合間にいくつかの筋群のエクササイズ、バランストレーニング、並びに身体のストレッチを様々な方法で行える多機能湾曲ボードを提供することである。目的はさらに、可撓性の多機能湾曲ボードを提供することであり、これにより、例えば立位で作業しているときの一様な緊張が回避される。目的は、多機能湾曲ボードの弾性特性を変えることができるようにすることである。目的は、多機能湾曲ボードの可撓性特性及び可撓性の方向を変えることができる付属品をボードに付けることができるようにすることである。
【課題を解決するための手段】
【０００５】
本発明の多機能湾曲ボードの種々の実施形態により、上記の欠点をなくすことができ、本発明の目的が達成される。本発明の特色となる特徴は、請求項１の特徴部において開示されるものである。本発明の好ましい実施形態が従属請求項において開示される。
【０００６】
最も重要な利点は、多機能湾曲ボードが、上記の問題を解決することができるように人間工学的に実装されることである。多機能湾曲ボードは、例えば、湾曲ボードを製造するべく木材ベニヤをモールド内で積層して糊付けすることによって製造することができる。
【０００７】
脚が常に正しい自然な位置にとどまるように揺れ運動をもたらす、例えば連接構造によって実装される、揺れる／可撓性の逆湾曲手段を、本体ボードの端で、足の下に、且つ本体プレートの湾曲の内側に取り付けることができる。揺れ手段は、スチールばね又はゴムばねの使用などの他の手段によって実装することもできる。この実装の欠点は、構造がやや複雑で高価なことである。この問題を解決する簡単且つ低価格な方法は、所謂逆湾曲ピース（逆湾曲手段）が凹側（本体の湾曲の内面）のボードの端で足の下に取り付けられた湾曲ボードを製造することであり、又は逆湾曲形状部は、製品がモールド内で又は例えばＣＮＣ機械加工技術によって作製されるときにすでに湾曲ボードに存在する。これらの別個の逆湾曲ピースは、公知の方法及び適切な材料を用いて製造することができ、それらは、糊付け又はねじによって又は他の適切な公知の方法で湾曲ボードに取り付けることができる。
【０００８】
ボード上の逆湾曲形状部の上に立つときに、足は自動的に正しい自然な位置をとることになる。揺らし中に、この湾曲した形状により、足は正しい位置に苦労なく方向転換する。
【０００９】
前述の人間工学的に形状設定された湾曲ボードは、最も好ましくは、プラスチックの回転成形、ブロー成形、若しくはプラスチック又は複合材料からの射出成形による成形技術によって、或いは他の公知の成形技術で製造することができる。射出成形によって複合材料から製造される製品の利点は、その環境適合性と製造の費用効果である。製品の剛性、弾性、及び強度が、プラスチック又は複合材料の組成を変えることによって容易に調整されることも利点である。湾曲ボードの適切な可撓性は、立っていることの快適さも向上させし、したがって、異なる体重クラスに合うように製品を製造することが有用である。
【００１０】
人間工学的に形状設定された湾曲ボードはまた、ＣＮＣ機械加工技術によって、木材、複合材、又はプラスチックなどの適切な材料から製造することができる。
【００１１】
凸側が床に接するときに床を傷つけることを回避するために凸側（湾曲の外側）に適切なコーティングを取り付けることが有用である。コーティングはまた、ピースがユーザの下から容易に滑らないようにするものでなければならない。コーティングは、例えば、密に圧縮された独立気泡発泡体又は例えばフェルト状のマットとすることができる。コーティングは、例えば、ステッカーによって、糊付けすることによって、又はコーティング自体の上の接着糊で製品に取り付けることができる。コーティングは、湾曲ボードがその凸側を上に向けて用いられるときに足の下で心地よい感じを与え、滑りやすくはない。湾曲ボードがその凸側を上に向けられるときに、床との接触点は、逆湾曲形状部のかなり小さい限定的な領域上にある。保護ピースをこの場所での全領域に又は一部の距離にわたって取り付けることが有用である。保護ピースは、床の摩耗と、ボードがユーザの下から滑ることを防ぐ。保護ピースの材料は、十分に耐久性がなくてはならず、保護ピースは、床にどのようなすり傷又は他の摩擦の跡も残してはならない。必要であれば、保護ピースは交換可能である。保護ピースは、適切な材料から例えば射出成形によって製造することができる。それらはまた、例えばステッカー又は糊付けによって取り付けられるフェルト又は他の適切な材料で作製された部品とすることができる。
【００１２】
多機能湾曲ボードの利点は、競合品に比べてその使途の広さである。用途は、凹側に立って揺らすことだけに限定されない。これは両面で用いることができ、多くの様々な筋力エクササイズ、ストレッチ、マッサージ、及びバランスエクササイズに用いることができる。多機能湾曲ボードは、その凹側を上にして用いられるときに、アクティブスタンディングプラットフォームとして機能する。ユーザは、体重を両足に均等にかけて立つことができ、このとき身体は揺れないであろう。体重が一方の脚から他方の脚へ移動されるときに、湾曲ボードが揺れ始め、バランシングが活性化される。筋肉も、休んでいた状態から目覚めさせられ、代謝が活性化される。体重の移動も、身体のほぼすべての関節及び筋肉の動きを生み出し、これは、例えば、脚、背中、及び腹部の筋肉も強化することになる。揺れをよりアクティブにすれば、フィジカルエクササイズがより効果的となるであろう。ユーザは、ボードの上に、両脚が隣り合うように立つ、又はユーザが歩く姿勢、すなわち一方の足が前にあり、他方の足が後ろにある姿勢で立つことができる。
【００１３】
多機能湾曲ボードは、その凸側を上にして用いることもできる。凸側は、前後に軽く足踏みする又は一箇所に立つのに心地よい基体である。ふくらはぎの筋肉を時々ストレッチすることも良い考えであり、湾曲ボードはそのための非常に良い手段である。多機能湾曲ボードは、凸側の上に背中及び側部をのせて横たわることによって背中の筋肉及び側部の筋肉をストレッチするのに用いることもできる。
【００１４】
多機能湾曲ボードは、座っているときに、足載せ台として又は痺れを回避するべく脚を揺らすために用いることもできる。バランスエクササイズの難易度を上げるためなどの、製品の用途をより多目的にするために、多機能湾曲ボードに種々の付属品を付ける、例えばアクセサリとして半球形手段を用いることができる。アクセサリの使用は、その中に半球形手段を容易に設置することができる適切な凹部を種々の場所に作製することによって、多機能湾曲ボードの製造の際に容易に考慮に入れることができる。多機能湾曲ボードは、１つ又は複数の半球形手段をボードの中央又はボードの凸側の種々の場所に配置することによって、多目的な且つ需要の多いバランスボードを作製することができる。その場所に応じて、多機能湾曲ボードは、縦方向又は横方向又は全方向のいずれかに揺れるように作製することができる。半球形手段を多機能湾曲ボードの凸側に配置することによって、背中の筋肉をスポット状にマッサージすることができ、この場合、ユーザは、半球が特定の筋肉を指圧するように自分の背中を半球の上にのせてボードの上に横たわり、筋肉は、身体を僅かに動かすことによってマッサージされる。半球はまた、足裏を半球に適切に押しつけることによって足裏をマッサージするために用いることもできる。腿及びふくらはぎなどの身体の他の部位も前述のようにマッサージすることができる。半球形手段は、適切な材料から例えば射出成形によって製造することができる。
【００１５】
アクセサリとしての抵抗ゴムバンドにより、多機能湾曲ボードは、抵抗ゴムと共に腕及び胴体の上部の筋力エクササイズのための補助手段として作用し、多機能湾曲ボードが凸側を上にして床の上に置かれ、抵抗ゴムバンドが湾曲ボードの下に通されている状態で、筋力エクササイズを開始することができる。
【００１６】
種々の実施形態はいくつかの利点をもたらし、実施形態を組み合わせることによって、これらの利点及び機能を本発明の１つの製品又は実施形態へ組み合わせることができる。
【００１７】
本発明の最も重要な利点は、多機能湾曲ボードが、作業しているときに多くの筋群のトレーニング、バランシング、及び身体のストレッチを様々な方法で行えることである。さらなる利点は、多機能湾曲ボードを可撓性とすることができることであり、これにより、例えば立って作業しているときの一様な緊張が回避される。多機能湾曲ボードの可撓性特性を変えることができることが利点である。この発明的な多機能湾曲ボードが人々の健康の維持における経済的節約を達成することになることは明らかである。
【００１８】
以下で、本発明が添付図を参照してより詳細に説明される。
【図面の簡単な説明】
【００１９】
【図１】真横から見た本発明に係る多機能湾曲ボードを例示する図である。
【図２】真上から見た図１の多機能湾曲ボードを例示する図である。
【図３】ボードの外面が上向きに方向転換されている、真横から見た図１〜図２に係る多機能ボードを例示する図である。
【図４】前から見た図１〜図４の多機能ボードを例示する図である。
【図５】斜め上から見た図１〜図４の多機能ボードを例示する図である。
【図６】部分的に分解された状態の、斜め上から見た図１〜図５の多機能ボードを例示する図である。
【図７】前から見た本発明に係る別の多機能湾曲ボードを例示する図である。
【図８】真横から見た図７の多機能湾曲ボードを例示する図である。
【図９】真上から見た図７及び図８の多機能湾曲ボードを例示する図である。
【図１０】斜め上から見た図７〜図９の多機能ボードを例示する図である。
【図１１】斜め上から見た図７〜図１０の多機能ボードを例示する図である。
【図１２】部分的に分解された状態の、斜め上から見た図７〜図１１の多機能ボードを例示する図である。
【図１３】斜め下から見た図７〜図１２の多機能ボードを例示する図である。
【図１４】本発明に係る多機能湾曲ボードの断面を例示する図である。
【発明を実施するための形態】
【００２０】
図面は、湾曲内面１ａ、湾曲外面１ｂ、側部１ｃ、及び端側部１ｄを有する本体１を例示する。図面では、本体１は、上から見たときに長方形である。側面図では、本体は湾曲しており、湾曲の曲率半径は端側部１ｄから端側部１ｄに延び、したがって、本体１の曲率線は、横断方向に、すなわち、側部１ｃから他の側部１ｃに延びる。図面は、その場所により湾曲内側コーティング２ａ及び湾曲外側コーティング２ｂと呼ばれる、コーティング２を示す。湾曲外側コーティング２ｂは、例えば、密に圧縮された独立気泡発泡体又は例えばフェルト状のマットとすることができる。湾曲外側コーティング２ｂは、例えば、ステッカー、糊付けによって、又は外側湾曲コーティング２ｂ自体上の接着糊を使用することによって本体１に取り付けることができる。湾曲外側コーティング２ｂは、湾曲ボードがその凸側（湾曲外面１ｂ）を上に向けて使用されるときに足の下で心地よい感じを与え、滑りやすくはない。湾曲内側コーティング２ａは、外側コーティングと同様の材料とすることができる。本体１の湾曲外面１ｂは外方に湾曲しており、湾曲内面１ａは凹形である。
【００２１】
本体１の両端は、端側部に隣接する逆湾曲手段３を備え、逆湾曲手段は、足を逆湾曲手段３の上にのせて立っているときに足の自然な位置を可能にする。逆湾曲手段３は、図面に示されるように本体１の湾曲内面１ａ上に固定することができ又は取り外し可能とすることができる。逆湾曲手段３の上面は、上に立つための面である。この上に立つための面は外側に凸となるように形成され、したがって、該面は、多機能湾曲ボードを揺らすときに多機能湾曲ボードの位置が横方向に変化する際に上面３ａ上の足裏に対して常に直角をなす。本体１の端側部１ｄ上の逆湾曲手段３の側部は締結側部３ｂであり、該締結側部３ｂで、逆湾曲手段３が、ねじなどの１つ又は複数の締結手段３ｃによって本体１の１つ又は複数の端側部１ｄに締結される。締結手段３ｃは、皿小ねじ又は他の公知の締結具とすることができる。逆湾曲手段３の締結側部３ｂと反対の側部は滑動側部３ｄである。滑動側部３ｄは、ボードの側部に取り付けられていないが、ユーザが逆湾曲手段の上に立つときに本体１の湾曲内面１ａに接して滑動する。上記の滑動は、逆湾曲手段３のスプリング運動／揺れを可能にする。逆湾曲手段３は、他の公知の可撓性材料から製造することができ、例えば、逆湾曲手段３の内部は表面の材料よりも可撓性が高い。
【００２２】
図面は、多機能湾曲ボード１の本体の湾曲外面１ｂ、すなわち凸側が上向きのときの接触点３ｅを例示する。この場合、逆湾曲手段３の接触点３ｅは、逆湾曲手段３の特定のかなり小さい領域上に存在する。保護ピースを接触点３ｅでの全領域に又は一部の距離にわたって取り付けることが有用である。保護ピースは、床の摩耗と、多機能湾曲ボードがユーザの下から滑ることを防ぐ。保護ピースの材料は、十分に耐久性がなくてはならず、保護ピースは、床にどのようなすり傷又は他の摩擦の跡も残してはならない。保護ピースは、必要であれば交換することができる。保護ピースは、適切な材料から例えば射出成形によって製造することができる。それらはまた、例えばステッカー又は糊付けによって取り付けられるフェルト又は他の公知の適切な材料で作製された部品とすることができる。
【００２３】
バランストレーニングの難易度を上げるためなどの、製品の用途をより多目的なものにするために、多機能湾曲ボードに種々の付属品４を取り付けることができる。アクセサリ／付属品４の使用は、多機能湾曲ボードの製造中に考慮に入れることができる。この目的のために、多機能湾曲ボードの本体１に、付属品を容易に設置することができる、例えば、半球形手段４ａをそれらの拡張部４ａａによって設置することができる、適切な凹部４ｂが作製される。
【００２４】
アクセサリとしての半球形手段４ａの使用。
【００２５】
多機能湾曲ボードは、１つ又は複数の半球形手段をボードの中央に又は湾曲外面１ｂ上の種々の場所に、すなわち多機能湾曲ボードの凸側に設置することによって、多目的な且つ需要の多いバランスボードを作製することができる。その場所に応じて、湾曲ボードは、縦方向又は横方向又は全方向のいずれかに揺れるように作製することができる。半球形手段を湾曲ボードの凸側に配置することによって、背中の筋肉を所謂ポイント状にマッサージすることができる。ユーザは、ボードの上に背中をのせて横たわり、半球が特定の筋肉を指圧するように半球上の自分の位置を調整する。身体を僅かに動かすことによって筋肉がマッサージされる。半球はまた、足裏を半球に適切に押しつけることによって足裏をマッサージするために用いることができる。腿及びふくらはぎなどの身体の他の部位も前述のようにマッサージすることができる。半球形手段４ａは、プラスチック、木質複合材、ゴムなどの適切な公知の材料から例えば射出成形によって作製することができる。
【００２６】
多機能湾曲ボードは、立位で作業しているときに、座って作業するときの足の支持台として、及び一般に筋力を維持するために用いられることを意図され、多機能湾曲ボードは１つ又は複数の本体１を有する。
【００２７】
本体１は、２つ以上の逆湾曲手段３を有する。逆湾曲手段３は、上に立つための面である上面３ａを備える。逆湾曲手段３の上面は、側部１ｃ間で縦方向に湾曲しており、逆湾曲手段３は、その上面３ａにおいて足の底面のようにまっすぐである。これにより、逆湾曲手段３は、本体１の曲率半径の方向に足の下で方向転換することができ、多機能湾曲ボードの方向転換は、足を特定の角度をなす位置へ方向転換させない。
【００２８】
図面は、本体１の揺れ方向を変えるために１つ又は複数の付属品４を本体１に取り付けることができることを示す。目的とされるマッサージに用いられる１つ又は複数の付属品４を本体１に取り付けることができる。図面は、その形状が半球形である、半球形手段４ａを示す。半球形手段４ａは、上記の凹部４ｂの中に押し込まれる長方形ブラケットとして示される延長部４ａａによって本体１に取り付けられる。
【００２９】
多機能湾曲ボードは、公知の木材種又は例えば合板などのそれらの組み合わせから公知の木材加工技術及び機械を用いて製造することができる。多機能湾曲ボードは、プラスチック、プラスチック−セルロース複合材などの複合材、又は他の公知の原材料から前記材料に関係した公知の製造技術で製造することができる。したがって、プラスチックから製造するときには、逆湾曲手段３は、本体１の一体部分として製造することが好ましい。
【００３０】
足の小さい運動及びそれを通じて全身の運動も可能にするために、足がその縦方向に同様に動く及びチルトすることができれば有利である。これは、前述の半球形手段によって又は本体１ａの下面１ｂに他の方向に凹形の形状を同様につけることによって可能である。この方策に伴う問題は、ボードが容易に回旋し過ぎて、ボードの上に立った状態で作業するのが難しくなることである。本発明の一実施形態によれば、多機能湾曲ボードは、その曲率半径を横断する方向に可撓性となるように形成されている。これにより、多機能湾曲ボードは、ボードの縦方向に関して、その縦軸、すなわち、曲率半径と平行な軸を中心として方向転換することができる。多機能湾曲ボードの縁は、押し下げることができ、それらは対応して立ち上げることもできる。したがって、それぞれの足を、足首で自然な状態で足の縦方向に独立に方向転換することができる。これは、足から骨盤及び背中へのすべてにわたる小さい効率的な運動を生み出すことを可能にする。
【００３１】
前述の実施形態では、多機能湾曲ボードの本体１は、平たく押しつぶされずにユーザの全体重を支えることができるように、曲率半径の方向に十分に剛性でなければならない。他方では、本体１は、その回転方向に、すなわち本体１の曲率半径を横断する方向に可撓性でなければならない。この機能は、好ましくは、図１４に示された断面によって果たすことができる。図１４では、ボードの断面は、互いに連接し、且つ本体１の曲率半径の方向に延びる、平行なＵ形ビーム５、６によって形成される。各ビームは、フランジ７、８とそれらを接続するウェブ９によって形成される。これは、連接するＵ形状部によって形成されたアコーディオンの外形をなす。構造体の静力学から分かるように、広いウェブ９は、形状部の縦方向の良好な屈曲剛性をもたらす。他方では、フランジ７、８の屈曲剛性は横方向において弱く、これにより、形状部のウェブは、小さい力で横方向に互いに向かう方に及び互いから離れる方に動くことができる。平行な形状部の数により、それらによって可能となる横の動きが総和され、したがって、アコーディオン形状は、小さい力ででもその横方向の良好な可撓性を生み出す。これは多機能ボードの前述の機能を可能にする。
【００３２】
Ｕ形状部は、湾曲内側コーティング１ａ又は湾曲外側コーティング１ｂなしに、所望の機能と、足及び床に対して十分に滑らかな表面を構造的にもたらすことを可能にするので、有利な構造体である。コーティングは、必要ならばもちろん用いることができ、又はウェブ９間の空間に可撓性材料を充填することができる。断面は、平行なＨ形部、鋸歯形部、Ｖ形状部、対向するＣ形状部、又はそれらの組み合わせなどの他の断面を同様に用いることによって変えることもできる。本質的な特徴は、構造体が、本体１の曲率半径の方向に相互接続された荷重負担ウェブを備えることであり、ウェブは、それらが互いに対して横方向に（それらの縦軸を横断する方向に）動くことができるように互いに接続されている。可撓性を生み出す形状部はまた、本体１の幅の一部にのみ延びることができる。
【００３３】
本発明は上記で開示された代替案だけに限定されず、付属の請求項において定義される発明的なステップ内で多くのバリエーションが可能であることが当業者には明らかであろう。
【図１】
0006678168.tif 000002
【図２】
0006678168.tif 000003
【図３】
0006678168.tif 000004
【図４】
0006678168.tif 000005
【図５】
0006678168.tif 000006
【図６】
0006678168.tif 000007
【図７】
0006678168.tif 000008
【図８】
0006678168.tif 000009
【図９】
0006678168.tif 000010
【図１０】
0006678168.tif 000011
【図１１】
0006678168.tif 000012
【図１２】
0006678168.tif 000013
【図１３】
0006678168.tif 000014
【図１４】
0006678168.tif 000015